(57)【要約】【課題】制御盤の交換に伴うケーブルの接続作業を簡単化し、制御盤の交換に要する作業時間を短縮する。【解決手段】機械室１０内の制御盤１１の近傍に中継ボックス３０を設置し、制御盤１１に接続されたケーブルと制御盤１１の制御対象機器に接続されたケーブルとを中継ボックス３０内の端子台３１に接続しておく。そして、制御盤１１を交換した場合に、新たに設置された制御盤と中継ボックス３０との間のケーブル交換だけの作業で済ませるようにして作業時間の短縮化を図る。【選択図】      図２
2006096482.tif 000002
【特許請求の範囲】
【請求項１】
エレベータの制御盤の近傍に、上記制御盤に接続された第１のケーブルと昇降路内の制御対象機器に接続された第２のケーブルとを連結する中継ボックスを設置しておき、
上記制御盤の交換に伴い、新たに設置された制御盤と上記中継ボックスとの間で上記第１のケーブルを事前に用意された第３のケーブルに交換し、その第３のケーブルを上記中継ボックスを介して上記第２のケーブルに連結することで、上記新たに設置された制御盤と上記制御対象機器とを電気的を接続することを特徴とするエレベータの制御盤交換方法。
【請求項２】
上記制御対象機器には、少なくとも乗りかごが含まれることを特徴とするエレベータの請求項１記載の制御盤交換方法。
【請求項３】
上記中継ボックスは、上記制御盤から少なくとも作業員１人が作業できる範囲内に設置されることを特徴とする請求項１記載のエレベータの制御盤交換方法。
【請求項４】
上記中継ボックスによるケーブルの中継に端子台を用いると共に、当該中継ボックス内に上記端子台の各接続部に接続されるケーブル内の各信号線の名前を記入しておくための信号記入欄を設けておくことを特徴とする請求項１記載のエレベータの制御盤交換方法。
【請求項５】
上記中継ボックス内でのケーブルの接続に複数のコネクタを用いると共に、当該中継ボックス内に上記各コネクタに接続されるケーブル内の各信号線の名前を記入しておくための信号記入欄を設けておくことを特徴とする請求項１記載のエレベータの制御盤交換方法。
【発明の詳細な説明】
【技術分野】
【０００１】
本発明は、老朽化や改修等によりエレベータの制御盤を交換するための交換方法に関する。
【背景技術】
【０００２】
エレベータの機械室には、「制御盤」と呼ばれる制御装置が設置されており、その制御装置によって乗りかごの運転が制御されている。制御装置と乗りかごはケーブルによって接続されており、そのケーブルの中には乗りかご内の各機器に繋がられた複数本の信号線（電線）が含まれている。
【０００３】
ところで、老朽化や改修等により制御盤を交換する場合において、旧制御盤と新制御盤とではケーブルの接続位置や接続方法が必ずしも同じであるとは限らない。また、ビルの階床数によって、ケーブルの長さが異なり、各物件で常に同じ長さのケーブルを用いることができるわけではない。
【０００４】
このようなことから、新設する制御盤とケーブルを個別に用意しておき、まず、旧制御盤を撤去し、新制御盤を据付けた後に、その新制御盤にケーブルを接続するといった方法が採られる（例えば、特許文献１参照）。この場合、ケーブルの長さが足りないと接続できないため、通常は、長めのケーブルを用意しておくことになるが、現場でそのケーブルを新制御盤に接続する際に長さを調整する作業が必要となる。
【０００５】
また、現場でケーブル内の各信号線を新制御盤に１本１本接続しなければならず、その接続作業に多大な時間と労力を必要とし、接続する本数も多いために接続ミスも発生しがちであり、その接続ミスを探すのにも時間を要していた。
【特許文献１】特開平８−１５１１７７号公報
【発明の開示】
【発明が解決しようとする課題】
【０００６】
上述したように、エレベータ制御盤の交換にはケーブルの接続作業を伴うため、その作業時間が非常にかかってしまう。物件によって異なるが、１日では終わらず、２，３日かかることもある。その間、エレベータの運転を停止しておかなければならないため、利用者に多大な迷惑をかけてしまう。よって、短時間で制御盤の交換を終える方法が望まれている。
【０００７】
なお、上記特許文献１では、エレベータの運転を停止せずに制御盤の交換する方法が開示されているが、これは複数台のエレベータが並設された群管理システムを前提としたものであり、１台のエレベータには適用することができない。
【０００８】
本発明は上記のような点に鑑みなされたもので、制御盤の交換に伴うケーブルの接続作業を簡単化し、制御盤の交換に要する作業時間を短縮することのできるエレベータの制御盤交換方法を提供することを目的とする。
【課題を解決するための手段】
【０００９】
本発明のエレベータの制御盤交換方法は、エレベータの制御盤の近傍に、上記制御盤に接続された第１のケーブルと昇降路内の制御対象機器に接続された第２のケーブルとを連結する中継ボックスを設置しておき、上記制御盤の交換に伴い、新たに設置された制御盤と上記中継ボックスとの間で上記第１のケーブルを事前に用意された第３のケーブルに交換し、その第３のケーブルを上記中継ボックスを介して上記第２のケーブルに連結することで、上記新たに設置された制御盤と上記制御対象機器とを電気的を接続することを特徴とする。
【発明の効果】
【００１０】
本発明のエレベータの制御盤交換方法によれば、制御盤の近傍に設置された中継ボックスを介してケーブルを接続しておくことで、制御盤を交換する場合に、エレベータの階床数に関係なく、新設の制御盤に合わせてケーブルを事前に用意しておくことができ、そのケーブルを中継ボックスを介して昇降路内の制御対象機器に接続されたケーブルに連結するだけでケーブルの接続作業を行うことができる。
【００１１】
これにより、制御盤の交換に要する作業時間を短縮できると共に作業員の負担も軽減でき、さらに、エレベータの運転停止時間を短縮化して少しでも早く運転を再開することが可能となる。
【発明を実施するための最良の形態】
【００１２】
以下、図面を参照して本発明の実施形態を説明する。
【００１３】
（第１の実施形態）
図１は本発明の第１の実施形態に係るエレベータの構成を示す図である。
【００１４】
図１０はビルの最上部に設けられる機械室である。この機械室１０に制御盤１１や巻上機１２などの機械類が設置されている。制御盤１１は、エレベータ全体の制御を行うメイン制御装置であり、汎用のコンピュータによって構成される。
【００１５】
巻上機１２は、制御盤１１からの駆動信号を受けて回転するモータからなる。この巻上機１２の駆動により、その駆動軸１２ａに取り付けられたメインシーブ１３が回転し、そのメインシーブ１３の外周面に巻き掛けられたロープ１４を介して昇降路１５内の乗りかご１６およびカウンタウエイト１７がつるべ式に昇降動作する。
【００１６】
乗りかご１６には、かごドア１８や、行先階を指定するための各階のボタン１９ａを有する操作パネル１９などが設けられている。一方、各階の乗場（エレベータホール）２０ａ，２０ｂ，２０ｃ…には、乗りかご１６の運転に連動して開閉するホールドア２１ａ，２１ｂ，２１ｃ…や、乗りかご１６を呼ぶための操作パネル２２ａ，２２ｂ，２２ｃ…などが設けられている。
【００１７】
ここで、制御盤１１と乗りかご１６は、テールコードと呼ばれるケーブル２３によって接続されている。このケーブル２３は、例えばかごドア１８の開閉信号や操作パネル１９の操作信号などを伝送するための複数本の信号線（電線）からなり、乗りかご１６の下部から昇降路１５内を通って制御盤１１に連結される。
【００１８】
また、上記ケーブル２３とは別に、制御盤１１と各階の乗場２０ａ，２０ｂ，２０ｃ…の間にケーブル２４が配設されている。このケーブル２４は、例えばホールドア２１ａ，２１ｂ，２１ｃ…の開閉信号や操作パネル２２ａ，２２ｂ，２２ｃ…操作信号などを伝送するための複数本の複数本の信号線（電線）からなる。
【００１９】
次に、上記構成のエレベータにおいて、制御盤１１を交換する場合の方法について説明する。
【００２０】
制御盤１１を交換する場合において、従来では、その制御盤１１に接続されているケーブル２３やケーブル２４も一緒に昇降路１５から撤去する作業が必要であり、また、新しい制御盤を機械室１０に据え付けた後、別のケーブルを昇降路１５内に配線し直すと共に、当該ケーブルに含まれる１本１本の信号線を新しい制御盤に接続するなど、非常に手間と時間がかかる作業が必要であった。また、新設の制御盤に合わせてケーブルの長さを調整するなどの作業も必要であった。しかも、その作業の間、エレベータを長時間停止させておく必要があるため、利用者に多大な迷惑をかけてしまうことになる。
【００２１】
そこで、本発明では、このようなケーブル交換を伴う制御盤の交換作業を短時間で終えるべく、図２に示すような中継ボックス３０を用いることを特徴としている。
【００２２】
図２は本発明の第１の実施形態における中継ボックスを用いた制御盤交換方法を説明するための図である。
【００２３】
中継ボックス３０は、制御盤１１と昇降路１５内の制御対象機器である乗りかご１６や乗場２０ａ，２０ｂ，２０ｃ…の各機器とを繋ぐケーブル２３、２４を中継するための機器であり、制御盤１１の近傍に設置される。
【００２４】
上記制御盤１１の近傍とは、少なくとも作業員１人が制御盤１１と中継ボックス３０との間でそれほど動かずに作業できる範囲内のことであり、その範囲（つまり、制御盤１１と中継ボックス３０との間隔）をｄとすると、例えばｄ＝２〜５ｍである。
【００２５】
ここで、図２において、中継ボックス設置前のケーブル接続形態をケーブルＡで表す。また、設置後のケーブル接続形態をケーブルＢで表す。また、ケーブルＣは制御盤交換後に接続するケーブルである。
【００２６】
すなわち、ケーブルＡの接続形態とは、従来の方法によるものであり、制御盤１１から昇降路１５内の制御対象機器（乗りかご１６や乗場２０ａ，２０ｂ，２０ｃ…の各機器）にケーブル２３、２４を直接繋ぐ方法である。これに対し、ケーブルＢの接続形態とは、本発明の方法によるものであり、機械室１０に設置した中継ボックス３０を介してケーブル２３、２４を繋ぐ方法である。
【００２７】
図３に示すように、中継ボックス３０の内部には端子台３１が設けられている。この端子台３１は、中継対象となるケーブル内の各信号線（電線）を接続するための複数の接続部３２ａ，３２ｂ，３２ｃ…を有する。これらの接続部３２ａ，３２ｂ，３２ｃ…の両端部に、それぞれに一端が制御盤１１と制御対象機器に接続された同じ信号線の他端がネジ止めにより接続される。
【００２８】
また、この端子台３１の各接続部３２ａ，３２ｂ，３２ｃ…の上部には、そこに接続される信号線の名前を記入しておくための信号記入欄３３ａ，３３ｂ，３３ｃ…が設けられている。この信号記入欄３３ａ，３３ｂ，３３ｃ…は、例えば油性インクなどのペンで作業員が信号名を直接記入できる記入板や、各信号のシールを貼り付けるシール板などからなる。
【００２９】
このような構成において、まず、事前準備として機械室１０内の制御盤１１の近傍に中継ボックス３０を設置しておく。この場合、作業員が１人で作業できるような範囲内に中継ボックス３０を設置しておくことが好ましい。
【００３０】
ここで、図１に示したように、当初、昇降路１５内の乗りかご１６や乗場２０ａ，２０ｂ，２０ｃ…の各機器からのケーブル２３やケーブル２４が制御盤１１に直接接続されている。このときのケーブル接続形態が図２のケーブルＡである。
【００３１】
中継ボックス３０の設置後、エレベータの運転を一時停止して、上記ケーブル２３，２４を中継ボックス３０内の端子台３１にて中継する作業を行う。この中継作業は、ケーブル２３，２４を中継ボックス３０の設置場所に合わせて切断し、中継ボックス３０内に設けられた端子台３１の接続部３２ａ，３２ｂ，３２ｃ…に接続して中継するといった単純作業のため、短時間で簡単に行うことができ、かつ、接続ミスが発生する可能性は少ない。この場合、制御盤１１の近傍に中継ボックス３０があるため、作業員はあまり動かずに作業することができる。
【００３２】
また、この時に中継したケーブル２３，２４内の各信号線（電線）の信号名を図３に示すように接続部３２ａ，３２ｂ，３２ｃ…上に設けられた信号記入欄３３ａ，３３ｂ，３３ｃ…に記入しておけば、どの信号線をどこに接続したかが一目で分かる。中継後のケーブル接続形態が図２のケーブルＢである。
【００３３】
このような事前準備の後、エレベータは運転可能となる。以後、老朽化や改修等により制御盤１１を交換する必要が生じた場合には、以下のような作業を行う。
【００３４】
すなわち、まず、エレベータを止めて、機械室１０から制御盤１１を撤去して、新たな制御盤（図示せず）を交換する。この制御盤１１の交換に伴い、制御盤１１と中継ボックス３０とを繋いでいたケーブルを取り外して、事前に準備しておいたケーブルと交換する。
【００３５】
この場合、エレベータの階床数に関係なく、制御盤１１と中継ボックス３０との間の距離ｄは固定であるため、図２に示すように、その距離ｄに合わせた長さのケーブルＣを事前用意しておくことができ、さらに、そのケーブルＣを新設の制御盤に接続した状態で機械室１０に持ち込むことも可能である。このようにすれば、新設の制御盤を機械室１０内に据え付けた際に、上記ケーブルＣの他端を中継ボックス３０内の端子台３１へ接続するだけの作業で済むため、作業員の負担が大幅に軽減されることになる。その際、ケーブルＣの中継ボックス３０側の接続方法（図２の例では端子台接続）も合わせて作成しておくことで、短時間で接続可能である。
【００３６】
また、図３に示すように、中継ボックス３０内の端子台３１の信号記入欄３３ａ，３３ｂ，３３ｃ…に記入された信号名を参照して、ケーブルＣ内の各信号線を正しく接続することができ、接続ミスが発生した場合でも、中継ボックス３０で各信号線を分割して制御盤側、機器側と個別に調査できるので、短時間に接続ミス発生場所を発見できるなどの利点がある。
【００３７】
（第２の実施形態）
上記第１の実施形態では、中継ボックスによるケーブルの中継方法として端子台を用いたが、ここではコネクタを用いる場合について説明する。なお、エレベータ全体の構成は図１と同様であるため、ここでは省略する。
【００３８】
図４は本発明の第２の実施形態における中継ボックスを用いた制御盤交換方法を説明するための図である。図中のケーブルＡ，Ｂ，Ｃは、上記第１の実施形態における図２の構成と同様であり、中継ボックス設置前のケーブル接続形態がケーブルＡ、設置後のケーブル接続形態がケーブルＢであり、ケーブルＣは制御盤交換後に接続するケーブルを示している。
【００３９】
第１の実施形態と異なる点は、中継ボックス４０によるケーブルの中継方法としてコネクタ４１ａ，４１ｂ，４１ｃ…が用いられていることである。また、図５に示すように、中継ボックス４０内にはコネクタ４１ａ，４１ｂ，４１ｃ…にて接続されるケーブル内の各信号線の名前を記入するための信号記入欄４２が設けられている。この信号記入欄４２は、例えば油性インクなどのペンで作業員が信号名を直接記入できる記入板や、各信号のシールを貼り付けるシール板などからなる。
【００４０】
図６は信号記入欄４２の一例を示す図であり、制御盤側からのケーブルを接続するコネクタＣＮ１の信号名と、制御対象機器からのケーブルを接続するコネクタＣＮ２の信号名とを対応付けるためのコネクタ表を中継ボックス４０内に貼り付けた場合の一例が示されている。
【００４１】
このような中継ボックス４０を用いた場合でも、上記第１の実施形態と同様に、事前に機械室１０内の制御盤１１の近傍に中継ボックス４０を設置しておき、制御盤１１と昇降路１５内の制御対象機器である乗りかご１６や乗場２０ａ，２０ｂ，２０ｃ…の各機器とを繋ぐケーブル２３，２４の各信号線を中継ボックス４０により中継しておけば、老朽化や改修等により制御盤１１を交換した場合に、新設用のケーブルＣ内の各信号線を中継ボックス４０にコネクタ接続するだけの簡単な作業で済む。したがって、作業員の負担が軽減され、また、信号記入欄４２を参照することで接続ミスも防げる。
【００４２】
このように、機械室１０内に設置しておいた中継ボックス３０（あるいは中継ボックス４０）を介して制御盤１１と制御対象機器（乗りかご１６や乗場２０ａ，２０ｂ，２０ｃ…の各機器）とをケーブル接続しておけば、制御盤１１の交換に伴うケーブルの接続作業を簡略化でき、短時間にて交換作業を終えることができる。その結果、エレベータの停止時間を短縮でき、直ぐに運転を再開することが可能となる。
【００４３】
なお、上記各実施形態では、制御対象機器として、乗りかご１６、乗場２０ａ，２０ｂ，２０ｃ…の各機器を例にして説明したが、実際にはこれだけに限らず、さらに多数の機器が制御対象機器に含まれる。
【００４４】
また、中継ボックスによるケーブルの中継方法についても端子台やコネクタに限らず、その他の方法にてケーブルを中継することでも良い。
【００４５】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明の第１の実施形態に係るエレベータの構成を示す図。
【図２】同実施形態における中継ボックスを用いた制御盤交換方法を説明するための図。
【図３】同実施形態における中継ボックスの端子台の構成を示す図。
【図４】本発明の第２の実施形態における中継ボックスを用いた制御盤交換方法を説明するための図。
【図５】同実施形態における中継ボックスのコネクタの構成を示す図。
【図６】同実施形態における中継ボックス内に設けられた信号記入欄の一例を示す図。
【符号の説明】
【００４７】
１０…機械室、１１…制御盤、１２…巻上機、１２ａ…駆動軸、１３…メインシーブ、１４…ロープ、１５…昇降路、１６…乗りかご、１７…カウンタウエイト、１８…かごドア、１９…操作パネル、１９ａ…ボタン、２０ａ，２０ｂ，２０ｃ…乗場、２１ａ，２１ｂ，２１ｃ…ホールドア、２２ａ，２２ｂ，２２ｃ…操作パネル、２３，２４…ケーブル、３０…中継ボックス、３１…端子台、３２ａ，３２ｂ，３２ｃ…接続部、３３ａ，３３ｂ，３３ｃ…信号記入欄、４０…中継ボックス、４１ａ，４１ｂ，４１ｃ…コネクタ、４２…信号記入欄。
【図１】
2006096482.tif 000003
【図２】
2006096482.tif 000004
【図３】
2006096482.tif 000005
【図４】
2006096482.tif 000006
【図５】
2006096482.tif 000007
【図６】
2006096482.tif 000008